(57)【要約】      （修正有）【課題】天井ボード取付作業において、天井ボードを確実に保持できるとともに野縁受や吊木等が設けられている部位においても装着して天井ボードを保持させることが可能となり、さらに野縁からの着脱を容易に行うことができる、天井ボード取付補助具を提供する。【解決手段】野縁に掛止される第１の掛止部と、第１の掛止部と所定間隔を開けて野縁に掛止される第２の掛止部と、第１の掛止部と第２の掛止部の一方の下縁部を連結するとともに、野縁の下縁より上方に配置される掛止部連結部と、掛止部連結部と所定間隔を開けて略並行に配置された天井ボード保持部と、掛止部連結部の一端部と上記天井ボード保持部の一端部とを連結する保持部連結部とを備えて構成されている。【選択図】図１
2019019565.tif 000002
【特許請求の範囲】
【請求項１】
天井の野縁に天井ボードを取り付けるための天井ボード取付補助具であって、
上記野縁に掛止される第１の掛止部と、
上記第１の掛止部と所定間隔を開けて上記野縁に掛止される第２の掛止部と、
上記第１の掛止部と上記第２の掛止部の一方の下縁部を連結するとともに、上記野縁の下縁より上方に配置される掛止部連結部と、
上記掛止部連結部と所定間隔を開けて略並行に配置された天井ボード保持部と、
上記掛止部連結部の一端部と上記天井ボード保持部の一端部とを連結する保持部連結部とを備え、
上記第１の掛止部は、上記保持部連結部側に設けられており、上記野縁の上面に掛止される上部と、上記上部の両縁部から下方に延出して上記野縁の側面を挟むように配置された一対の側部とを有し、
上記第２の掛止部は、上記保持部連結部と反対側に設けられており、少なくとも上記野縁の上面に掛止される上部と、上記上部と上記掛止部連結部とを繋ぐ側部とを有し、
上記掛止部連結部、上記天井ボード保持部及び上記保持部連結部は、上記各掛止部の側部内面に沿う平面の外側に配置されているとともに、
天井ボードを野縁の下面に取り付けた状態で、上記天井ボード保持部を天井ボード下面に当接するまで上方へ変位させることにより、第１の掛止部における上記掛止部連結部を設けた側と反対側の側部下縁を上記野縁の上面から離間させることができるように構成されている、天井ボード取付補助具。
【請求項２】
上記第１の掛止部と上記第２の掛止部とは、少なくとも野縁受又は、上記野縁受を保持する吊木の幅寸法以上の間隔を開けて設けられている、請求項１に記載の天井ボード取付補助具。
【請求項３】
上記第１の掛止部及び上記第２の掛止部は、上記野縁受の２本分の幅寸法以上の間隔を開けて設けられている、請求項１又は請求項２に記載の天井ボード取付補助具。
【請求項４】
天井ボードを野縁の下面に取り付けた状態で、上記天井ボード保持部を天井ボード下面に当接するまで上方へ変位させたとき、上記掛止部連結部を設けた側と反対側の側部下縁を、上記野縁上面から離間できるように、上記掛止部、上記掛止部連結部及び上記天井ボード保持部の上下方向位置が設定されている、請求項１から請求項３のいずれか１項に記載の天井ボード取付補助具。
【請求項５】
天井ボードを野縁の下面に取り付けた状態で、上記天井ボード保持部を上記天井ボード下面に当接するまで上方へ変位させるとともに上記掛止部を所定角度傾斜させたとき、上記掛止部連結部を設けた側と反対側の側部下縁を、上記野縁上面から離間できるように構成されている請求項４に記載の天井ボード取付補助具。
【請求項６】
上記第１の掛止部において、上記掛止部連結部を設けた側と反対側の側部は、上記野縁の高さ方向寸法の３分の２以上の寸法に設定されている、請求項１から請求項５のいずれか１項に記載の天井ボード取付補助具。
【請求項７】
上記第１の掛止部における一対の側部の内面間の寸法と、上記野縁の幅方向寸法との差が、１．５ｍｍ以下に設定されている、請求項４から請求項６に記載の天井ボード取付補助具。
【請求項８】
上記掛止部は、金属板から形成されているとともに、上記掛止部連結部、上記保持部連結部及び上記天井ボード保持部は、棒状金属から形成されている、請求項１から請求項７のいずれか１項に記載の天井ボード取付補助具。
【請求項９】
上記第１の掛止部及び上記第２の掛止部の各上部内面に、ゴムシートが貼設されている、請求項１から請求項８のいずれか１項に記載の天井ボード取付補助具。
【請求項１０】
請求項１から請求項９に記載された天井ボード取付補助具を用いて行う天井ボード取付方法であって、
上記掛止部を上記野縁に掛止する補助具装着工程と、
上記保持部に天井ボードの一端部を保持させて位置決めを行う位置決め工程と、
上記天井ボードの他端部を上記野縁に固定する天井ボード固定工程と、
上記天井ボード取付補助具を上記野縁から取り外す補助具取り外し工程とを含み、
上記補助具装着工程において、上記第１の掛止部と上記第２の掛止部を、野縁受又は／及び吊木を跨ぐようにして、上記野縁に掛止し、
上記天井ボード固定工程において、上記天井ボード取付補助具を装着した状態で、上記掛止部間の領域に位置する野縁に対してネジ釘を締め付け、
上記補助具取り外し工程において、上記天井ボード取付補助具の掛止部を上方に変位させることにより、上記掛止部を上記野縁から離脱させ、その後上記野縁の側方に移動させて取り外すことを特徴とする、天井ボード取付方法。
【請求項１１】
上記補助具取り外し工程において、上記掛止部を傾斜させる、請求項１０に記載の天井ボード取付方法。
【請求項１２】
上記天井ボード取付補助具を、野縁と野縁受とが交差する部分に装着して、天井ボードを取り付ける方法であって、
上記補助具取り外し工程において、上記掛止部を上記野縁から離脱させた後、上記野縁受と上記天井ボードの間の隙間から離脱させる際、上記第２の掛止部を、その高さが小さくなる方向へ傾斜させることにより、上記隙間を通過させて取り外す請求項１０又は請求項１１に記載の天井ボード取付方法。
【発明の詳細な説明】
【技術分野】
【０００１】
本願発明は、天井ボード取付補助具に関する。詳しくは、天井ボードを天井野縁に固定するときに一側縁部を保持して、天井ボードを容易に取り付けることができるように構成した天井ボード取付補助具に関する。
【背景技術】
【０００２】
天井ボードとして用いられるいわゆる石膏ボードは、通常９００×１８００ｍｍの大きさを有する。また、厚みも１０〜２２ｍｍ程度あり、かなりの重量もある。上記天井ボードは、天井野縁に対してねじ釘等を用いて固定される。
【０００３】
上記天井ボードを上記野縁に固定する際、天井ボードの縁部を上記野縁に沿うように位置決めする必要がある。上記天井ボードを位置決めして固定するためには、上記天井ボードの重量を下方から支持する必要があるが、一人の作業者で天井ボードの支持と、釘打ち等の固定作業を行うのは困難であり、また作業者に要求される労力も多大なものとなる。このため、２人の作業者で作業を行う場合が多い。また、特許文献１に示すように、天井ボードの一方の縁部を上記野縁に仮止めできる取付補助具が提供されている。
【先行技術文献】
【特許文献】
【０００４】
【特許文献１】実開平６−３５５１４号公報
【発明の概要】
【発明が解決しようとする課題】
【０００５】
上記特許文献に記載されている天井張り用支持金具は、野縁に嵌め込んで吊設されるΓ字型の基部と、上記基部の下端において天井野縁側へ突設されて天井板を支持する支持部とを備えて構成されている。上記特許文献に記載されている天井張り用支持金具によって、天井ボードの一方の側縁部を上記野縁に沿って保持できるため、作業者は片方の側縁部を支持しながら固定作業を行うことが可能となり、支持重量及び労力の軽減を行うことができる。
【０００６】
上記天井張り用支持金具は、天井ボードを保持する部分が、野縁とほぼ同じ幅寸法で形成されている。このため、天井ボードを位置決めする際に、保持した位置からの変位量が大きいと、天井ボードが上記天井張り用支持金具から外れてしまう恐れがある。
【０００７】
また、上記特許文献１に記載されている天井張り用支持金具は、野縁に対する掛止長さも短い。このため、野縁にねじ等の締結部材を用いて仮止めするように構成されている。
【０００８】
ところが、上記仮止めを行う工程が増加するという問題がある。しかも、天井ボードごとに、上記天井張り用支持金具を着脱する必要があるため、着脱作業が面倒であるという問題もある。
【０００９】
さらに、野縁の上部には、野縁を支持するための野縁受や吊木が設けられる。野縁受や吊木が設けられる部位は、天井ボードの支持強度が大きいため、この部分に天井ボードの縁部を位置させて取付作業を行うことも多い。ところが、上記引用文献１に記載された天井張り用支持金具は、上記野縁受が設けられる部位の直下に設けることができない。このため、利用できる部位に制限がある。
【００１０】
また、上記天井張り用支持金具等の補助具を用いて天井ボードに釘打ち作業を行う場合、上記補助具によって保持される部分（領域）を釘等によって固定する必要がある。ところが、従来の天井ボード取付補助具は、天井ボードを保持する領域が野縁の直下に設けられることが多く、上記補助具が邪魔になって上記領域に釘打ち作業を行うのは困難であった。このため、天井ボード取付補助具を野縁から取り外したり、移動させた後に釘打ち作業等を行う必要があった。
【００１１】
本願発明は、上記課題を解決するために案出されたものであり、天井ボード取付作業において、天井ボードを確実に保持できるとともに野縁受や吊木等が設けられている部位においても装着して天井ボードを保持させることが可能となり、さらに野縁からの着脱を容易に行うことができる、天井ボード取付補助具を提供することを課題とする。
【課題を解決するための手段】
【００１２】
本願発明は、天井の野縁に天井ボードを取り付けるための天井ボード取付補助具であって、上記野縁に掛止される第１の掛止部と、上記第１の掛止部と所定間隔を開けて上記野縁に掛止される第２の掛止部と、上記第１の掛止部と上記第２の掛止部の一方の下縁部を連結するとともに、上記野縁の下縁より上方に配置される掛止部連結部と、上記掛止部連結部と所定間隔を開けて略並行に配置された天井ボード保持部と、上記掛止部連結部の一端部と上記天井ボード保持部の一端部とを連結する保持部連結部とを備え、上記第１の掛止部は、上記保持部連結部側に設けられており、上記野縁の上面に掛止される上部と、上記上部の両縁部から下方に延出して上記野縁の側面を挟むように配置された一対の側部とを有し、上記第２の掛止部は、上記保持部連結部と反対側に設けられており、少なくとも上記野縁の上面に掛止される上部と、上記上部と上記掛止部連結部とを繋ぐ側部とを有し、上記掛止部連結部、上記天井ボード保持部及び上記保持部連結部は、上記各掛止部の側部内面に沿う平面の外側に配置されているとともに、天井ボードを野縁の下面に取り付けた状態で、上記ボード保持部を天井ボード下面に当接するまで上方へ変位させることにより、第１の掛止部における上記掛止部連結部を設けた側と反対側の側部下縁を上記野縁の上面から離間させることができるように構成されている。
【００１３】
石膏パネル製の天井ボードを支持する強度を確保するために、野縁の寸法は、使用材料に応じて定められている。通常、木製野縁の場合、断面幅４０ｍｍ、断面高さ３０ｍｍのものを使用することが多い。一方、金属製の野縁は、要求される強度等に応じて、断面高さが２０ｍｍあるいは２５ｍｍ、断面幅が２０ｍｍ、２５ｍｍ、３８ｍｍ、５０ｍｍと段階的に設定されている。本願発明に係る天井ボード取付補助具も、上記野縁の寸法に応じて準備される。
【００１４】
本願発明では、上記第１の掛止部と上記第２の掛止部とを、所定間隔を開けて一対設けている。そして、上記各掛止部の一方の側部下縁に掛け渡すようにして、掛止部連結部が設けられている。上記構成によって、野縁に掛止できる長さが大きくなり、野縁に対して天井ボード取付補助具を安定的に掛止できる。また、上記保持部の長さを大きく設定することが可能となり、天井ボードを確実に保持することができる。
【００１５】
本願発明に係る天井ボード取付補助具において、上記第１の掛止部は、野縁の上面に掛止される上部と、上記上部の両縁部から下方に延出して上記野縁の側面を挟むように配置された一対の側部とを有する掛止部が設けられる。すなわち、上記第１の掛止部は、上記野縁の上面及び両側面を３方から囲むように設けられる。したがって、掛止部が、野縁から不用意に外れる恐れがない。一方、上記掛止部の下方は、開口された状態となっている。これにより、野縁に対して上方から容易に取り付けることができる。
【００１６】
上記第１の掛止部を上記野縁に確実に掛止するため、上記掛止部連結部を設けた側と反対側の側部は、上記野縁の高さ方向寸法の３分の２以上の寸法に設定するのが好ましい。また、上記側部内面は、上記野縁の側面と所要の寸法以下の隙間を設定し、上記保持部に天井ボードの重量が作用した場合にも、ガタツキなく安定的に支持できるように構成するのが望ましい。さらに、上記第１の掛止部は、金属板状材料から形成し、野縁の延びる方向にある程度の幅寸法、たとえば、２０ｍｍ以上の幅寸法を確保するのが好ましい。この構成によって、垂直軸回りの回転変位を、上記第１の掛止部によって阻止できるように構成することができる。
【００１７】
一方、上記第２の掛止部は、上記保持部連結部と反対側に設けられており、少なくとも上記野縁の上面に掛止される上部と、上記上部と上記掛止部連結部とを繋ぐ側部とを備えて構成されている。すなわち、上記第２の掛止部は、少なくとも、上下方向の力を支持できるように構成される。なお、野縁の種類や寸法に応じて、上記第１の掛止部と同様の構成を採用することもできる。上記構成を採用することにより、天井ボードの重量を確実に支持できるとともに、取り付け作業及び取り外し作業を容易に行うことが可能となる。
【００１８】
また、上記掛止部連結部は、上記野縁の下縁より上方に配置される。これにより、天井ボードを上記保持部に保持した位置及び状態において、野縁に固定することが可能となる。また、野縁の下面に沿う部分に、上記掛止部連結部が突出しないため、天井ボードの縁部が、上記掛止部連結部に当接して傷む恐れもなくなる。また、天井ボードを、上記野縁の下面に沿わせるようにして、上記保持部を設けた部位に容易に導入することもできる。
【００１９】
また、本願発明では、上記第１の掛止部と上記第２の掛止部とが所定間隔を開けて設けられる。天井野縁には、この野縁を支持するための野縁受や吊木が一定間隔で設けられている。上記野縁受は、上記野縁に対してほぼ直交するように所定間隔で設けられることが多い。また、上記吊木は、下端部が上記野縁と野縁受の交差部の隅部に連結されることが多い。このため、上記野縁受や、吊木を設けた部位に上記掛止部を掛止することはできない。一方、上記野縁受や吊木を設けた部位は天井ボードの保持強度が大きいため、天井ボードの縁部や端部が固定されることも多い。このため、上記野縁受の直下で天井ボードを保持した状態で、野縁に対して釘打ち作業等を行えるように構成するのが望ましい。
【００２０】
上記第１の掛止部と上記第２の掛止部を、少なくとも野縁受又は上記野縁受を保持する吊木の幅寸法以上の間隔を開けて設けると、上記野縁受あるいは吊木を挟むようにして、その両側に一対の掛止部を掛止することが可能となる。また、本願発明では、上記保持部は、上記掛止部連結部に略並行に設けることができるため、上記野縁受の直下において、上記天井ボードを保持することができる。
【００２１】
また、本願発明では、上記掛止部連結部、上記天井ボード保持部及び上記保持部連結部は、上記各掛止部の側部内面に沿う平面の外側に配置されている。すなわち、上記掛止部の下方は、上記野縁の幅方向寸法に渡って開口された状態となる。このため、上記野縁受がない部位では、野縁に対して、上記掛止部を上方から容易に掛止し、また、上方に向けて容易に離脱させることができる。また、上記掛止部を上記野縁に沿って移動させることにより、天井ボードから離脱させることもできる。
【００２２】
しかも、上記構成を採用すると、天井ボードの野縁に当接する反対側の領域表面に上記天井ボード保持部が位置することはない。このため、上記天井ボードを上記天井ボード保持部に保持させた位置において、上記天井ボードに対して釘打ち作業を行うことが可能となる。特に、本願発明に係る天井ボード取付補助具では、上記野縁受や吊木を設けた部位に、釘打ち作業を行うことも可能となり、作業効率が向上する。
【００２３】
天井ボードを保持した位置においては、上記天井ボード保持部が天井ボードに干渉するため、上記掛止部を上記野縁から上方に離脱させることはできない。この場合、上記掛止部を野縁に沿って移動させる他ない。しかも、上記第１の掛止部と上記第２の掛止部を野縁受や吊木の両側に掛止した場合、上記掛止部が上記野縁受や吊木に当接するため、野縁に沿って移動させることもできない。
【００２４】
本願発明では、上記第１の掛止部の側部と上記第２の掛止部の側部の間に、上記野縁受や吊木の幅に対応する野縁方向の寸法を有するとともに、上下方向の隙間が存在する。このため、天井ボードを保持した状態における上記掛止部連結部と上記保持部の間の上下方向の隙間の設定によって、上記掛止部を上記隙間の分上方へ移動させることができる。そして、上記天井ボードを野縁に固定した状態で、上記保持部を上記天井ボードの下面に当接する位置まで上記保持部を上方へ変位させると、上記掛止部連結部を設けた側と反対側の側部下縁を上記野縁の上面から離間させることができるように構成されている。すなわち、上記掛止部を上方へ押し上げて、上記掛止部連結部を設けた側と反対側の側部下縁を上記野縁の上面から離間させることができれば、上記掛止部を上記天井ボードの側方へ移動させて取り外すことが可能となる。
【００２５】
上記構成を採用することにより、上記野縁受や吊木を設けた部位に掛止した場合にも、本願発明に係る天井ボード取付補助具を容易に着脱することが可能となる。また、天井ボード取付補助具を野縁に掛止した状態で天井ボードを野縁に固定し、その後に天井ボード取付補助具を取り外すことができる。
【００２６】
本願発明に係る天井ボード取付補助具を、野縁受を挟んで設置した場合における着脱を容易に行うため、天井ボードを野縁の下面に取り付けた状態で、上記天井ボード保持部を天井ボード下面に当接するまで上方へ変位させることにより、上記掛止部連結部を設けた側と反対側の側部下縁を上記野縁の上面から離間させることができるように、上記掛止部、上記掛止部連結部及び上記保持部を設定するのが好ましい。
【００２７】
野縁受を挟むように装着した場合、上記掛止部の上方への変位は、上記野縁受の下面と上記掛止部連結部の上部との間の寸法と、上記野縁の下面と上記天井ボード保持部の上部の間の隙間の大きさ及び天井ボードの厚みによって制限される。すなわち、上記掛止部連結部の上面は、野縁受の下面によって上方への変位が規制される。また、上記天井ボード保持部は、野縁に取り付けられた天井ボードの下面によって上方への変位が規制される。したがって、上記隙間分掛止部を上方へ移動させたとき、上記掛止部連結部を設けた側と反対側の側部下縁を上記野縁の上面から離間させることができるように構成される。
【００２８】
上記第１の掛止部及び第２の掛止部は、少なくとも野縁受又は上記野縁受を保持する吊木の幅寸法以上の間隔を開けて設けるのが好ましい。これによって、野縁受や釣り木の直下において、天井ボードを安定的に保持して作業を行うことが可能となる。また、野縁受は、野縁の強度を高めるため、２本並列して設けられることがある。このため、上記一対の掛止部は、上記野縁受の２本分の幅寸法以上の間隔を開けて設けるのが好ましい。また、上記吊木の幅方向寸法は、上記野縁受とほぼ同じに設定されることが多いため、上記野縁受の２本分の幅寸法以上の間隔を開けることにより対応できる。
【００２９】
作業中に、上記掛止部が誤って押し上げられたときにも野縁から外れないように、上記掛止部を所定角度傾斜させた状態で、上記掛止部連結部を設けた側と反対側の側部下縁を、上記野縁上面から離間できるように構成するのが好ましい。上記側部と野縁との間に設定される隙間の量を一定寸法確保することにより、上記野縁上面から上記側部の下縁が離間するだけ傾斜できるように設定することができる。一方、上記隙間量が大きくなると、ガタツキが大きくなる。０．５〜１．５ｍｍの隙間を確保するとともに、上記隙間量に基づく傾斜が許容されるように構成するのが好ましい。上記構成を採用すると、上記掛止部を上方に押し上げただけでは、野縁から外れなくなる一方、押し上げた状態で傾斜させることにより、掛止部を野縁上面から離間させることが可能となり、安全性が高まる。
【００３０】
本願発明に係る天井ボード取付補助具を構成する材料及び形態は、特に限定されることはない。たとえば、上記掛止部を、金属板を略コ字状に折り曲げ加工するとともに、上記掛止部連結部、上記保持部連結部及び上記天井ボード保持部を、棒状金属を折り曲げ加工し、これを上記掛止部の一方の側部下縁部に溶接等によって接合して構成することができる。
【００３１】
また、上記掛止部、上記掛止部連結部、上記保持部及び上記保持部連結部を、一枚の板状金属を打ち抜き加工し、折り曲げ加工等を行って形成することもできる。さらに、全体を金属等の鋳造により形成することもできる。
【００３２】
また、金属材料のみならず、樹脂材料を型成形して一体的な天井ボード取付補助具を形成することもできる。
【００３３】
さらに、上記掛止部と野縁上面との間の摩擦力を調節するため、上記上部の内面にゴムシートを貼着することができる。上記ゴムシートを設けることにより、天井ボードの荷重が作用した際の摩擦力を増大して、不用意な変位を防止できる。一方、天井ボードの荷重が作用しない場合の摩擦力を低減して、上記野縁に沿って滑らせることにより、上記天井ボード取付位置から次の保持位置まで容易に移動させることが可能となる。
【発明の効果】
【００３４】
天井ボードを野縁受に近接して確実に保持できるとともに、着脱を容易に行うことができ、天井ボード取付作業を効率よく行うことができる。
【図面の簡単な説明】
【００３５】
【図１】本願発明に係る天井ボード取付補助具の一実施例を野縁に掛止して、天井ボードを保持した状態を表す斜視図である。
【図２】天井ボードを図１に示す天井ボード取付補助具に保持した状態で、天井ボードを取り付ける作業を示す、概要図である。
【図３】図１に示す天井ボード取付補助具の正面図である。
【図４】図３に示す天井ボード取付補助具の右側面図である。
【図５】図３に示す天井ボード取付補助具の左側面図である。
【図６】図３に示す天井ボード取付補助具の平面図である。
【図７】図１におけるＶＩＩーＶＩＩ線に沿う断面図である。
【図８】図１におけるＶＩＩＩーＶＩＩＩ線に沿う断面図である。
【図９】図１におけるＶＩＩーＶＩＩ線に沿う断面に相当する断面図であり、天井ボード取付補助具を野縁から上方へ離脱させる状態を示す図である。
【図１０】図９おいて、天井ボード取付補助具を傾斜させた状態を示す断面図である。
【図１１】図１０において、天井ボード取付補助具を野縁から側方へ離脱させる状態を示す側面図である。
【図１２】掛止部が、野縁受と天井ボードとの間に位置する状態を示す側面図である。
【図１３】第２の掛止部を傾斜させて、野縁受と天井ボードの間の隙間を通過させる状態を示す側面図である。
【図１４】吊木がある部分に装着した状態を示す斜視図である。
【図１５】野縁受が２本並列して設けられた部位に装着した状態を示す斜視図である。
【図１６】本願発明の第２の実施形態を示す側面図であり、図５に相当する図である。
【図１７】本願発明の第３の実施形態を示す側面図であり、図５に相当する図である。
【発明を実施するための形態】
【００３６】
以下、本願発明の実施形態を図に基づいて具体的に説明する。
【００３７】
図１から図６に示すように、本実施形態に係る天井ボード取付補助具１は、野縁１０に掛止される第１の掛止部２ａ及び第２の掛止部２ｂと、上記一対の掛止部２ａ，２ｂの一方の側部１４，２４の下縁部を連結するとともに、上記野縁１０の下縁より上方に配置される掛止部連結部６と、上記掛止部連結部６と所定間隔を開けて略並行に同じ長さで配置された天井ボード保持部７と、上記掛止部連結部６の一端部と上記天井ボード保持部７の一端部とを連結する保持部連結部８とを備えて構成される。
【００３８】
上記各掛止部２ａ，２ｂは、野縁１０の上面に掛止される上部１３，２３と、上記上部１３，２３の上記掛止部連結部６側の縁部から下方に延出して、上記掛止部連結部６に接合される側部１４，２４とを備える。また、上記第１の掛止部２ａには、上記掛止部連結部６の側と反対側において、上記上部１３の縁部から上記野縁１０の側面に沿って下方に延びる側部１５が設けられている。すなわち、上記第１の掛止部２ａは、上記野縁１０の側面を挟むように配置された一対の側部１４，１５とを備えて構成されている。一方、上記第２の掛止部２ｂは、少なくとも上記野縁の上面に掛止できる上部２３を備えていれば足りる。なお、上記第２の掛止部２ｂに、上記第１の掛止部２ａと同様に、上記野縁１０を挟むように、一対の側部を設けることもできる。上記上部の下面には、ゴムシート９が貼設されている。上記ゴムシート９を設けることにより、天井ボード１２の荷重が作用した場合に滑りを防止できる一方、上記天井ボード１２の荷重が作用しない場合には、上記野縁１０に沿う滑りを許容して、容易に移動できるように構成するのが望ましい。また、上記ゴムシート９を保護するため、上記第２の掛止部２ｂの先端側を、上記ゴムシート９の厚み分下方に折り曲げて延出させるのが望ましい。
【００３９】
図２に示すように、天井ボードを野縁１０に固定するには、上記天井ボード取付補助具１を用いて、天井ボード１２の一端部１２ａを上記野縁１０に近接する位置に保持する一方、他端部を作業者の片腕で野縁下面に添着し、釘あるいはネジ等３５を用いて上記野縁１０に固定する。上記天井ボード取付補助具１を用いることにより、作業者は、天井ボードの一端部のみ保持すればよくなり、一人の作業員で天井ボード取付作業を行うことができる。
【００４０】
図７及び図８に示すように、上記掛止部連結部６、上記天井ボード保持部７及び上記保持部連結部８は、上記第１の掛止部２ａ及び第２の掛止部２ｂの側部内面１４ｂ，２４ｂに沿う平面の外側に配置されている。上記構成によって、上記天井ボード取付補助具１を、野縁１０の上方から野縁に容易に装着することができる。また、野縁の上方へ容易に取り外すこともできる。
【００４１】
また、上記掛止部連結部６、上記天井ボード保持部７及び上記保持部連結部８が、上記第１の掛止部２ａ及び第２の掛止部２ｂの側部内面に沿う平面の外側に配置されているため、天井ボード１２における上記野縁１０の下面に当接する部分と反対側の表面に、上記天井ボード保持部７が位置することはない。このため、天井ボード取付補助具１を移動させたり、取り外すことなく、野縁直下の部分に釘打ち作業を行うことができる。しかも、上記天井ボード保持部７が、野縁１０の縁部の位置を示しているため、天井ボード保持部を目安にして釘打ち作業を行うことができるという効果もある。
【００４２】
図９及び図１０に示すように、天井ボード１２を野縁１０の下面に固定した状態で、天井ボード取付補助具１を上方へ変位させることにより、上記第１の掛止部２ａにおける上記掛止部連結部６を設けた側と反対側の側部１５の下縁１５ａを上記野縁１０の上面１０ａから離間させることができるように構成するのが好ましい。
【００４３】
本実施形態では、上記第１の掛止部２ａを上方に変位させた状態で、上記下縁１５ａを、野縁１０の上面１０ａと同じ位置か、若干下方に位置させている。一方、図１０に示すように、上記第１の掛止部２ａを傾斜させることにより、上記側部１５の下縁１５ａを、上記上面１０ａから離間させることができるように構成している。具体的には、上記側部１４，１５間の内側寸法を、上記野縁１０の幅方向寸法より０．５〜１．５ｍｍ大きく設定することにより、上記第１の掛止部２ａの傾斜を許容し、上記側部１５の下縁１５ａを、上記野縁１０の上面１０ａから離間させることができるように構成している。その後、図１１に示すように、側方へずらすようにして、上記第１の掛止部２を上記野縁１０から離脱させることができる。この構成を採用することにより、上記掛止部２が誤って野縁から脱落する恐れもなくなる。一方、第２の掛止部２ｂには、上記掛止部連結部と反対側の側部が設けられていないため、容易に離脱させることができる。なお、上記掛止部連結部６を設けた側の反対側の側部の上下方向長さは、上記野縁の側面の寸法の３分の２以上の寸法に設定するのが好ましい。また、上記第２の掛止部２ｂに、上記第１の掛止部２ａと同様に、上記野縁を挟む一対の側部を設けることもできる。
【００４４】
図１に示すように、上記野縁１０を保持するための野縁受１１が、上記野縁１０と交差するように、上記野縁１０の上面に接合される。本実施形態に係る天井ボード取付補助具１においては、上記一対の掛止部２ａ，２ｂが所定間隔離間して設けられているため、上記野縁受１１を挟むようにして、上記掛止部２ａ，２ｂを上記野縁１０に装着することができる。また、上記保持部７は、上記掛止部２ａ，２ｂ間の長さに対応する長さに設定されているため、上記天井ボード１２を保持できる長さを大きく設定できる。このため、位置決めを行う際に、天井ボード１２が多少移動しても、上記保持部７から脱落する恐れはない。このため、天井ボード１２の取付作業を確実に行うことができる。
【００４５】
図１２に示すように、野縁受１１を挟むようにして上記一対の掛止部２ａ，２ｂを野縁に掛止した場合、天井ボード１２を装着した後に天井ボード取付補助具１を取り外すには、上記第２の掛止部２ｂを、上記野縁受け１１の下面と上記天井ボード１２の上面との間に形成される隙間Ｓを通過させなければならない。
【００４６】
本実施形態では、上記第２の掛止部２ｂには、上記掛止部連結部６と反対側に側部が設けられていないため、図１３に示すように、上記上部２３の先端側を上記天井ボード１２の上面側へ傾斜させることができる。これにより、上記第２の掛止部２ｂの高さを低減させ、上記隙間Ｓに上記第２の掛止部２ｂを通過させることが可能となる。これにより、上記野縁受１１と上記野縁とが交差する部分においても、容易に着脱できる天井ボード取付補助具１を構成することができる。
【００４７】
図１４に示すように、上記野縁１０と野縁受１１との交差部に、天井の構造部材から吊木２０が連結される部分がある。上記吊木２０は、上記野縁及び野縁受１１とほぼ同じ寸法で形成される場合が多い。上記部分においても、天井ボード取付補助具１を装着できるように、上記掛止部２ａ，２ｂを、上記野縁受１１あるいは吊り木２０の２倍以上の隙間を開けて設けるのが好ましい。これにより、野縁受や吊木を設けた部位においても、天井ボードを保持することが可能となり、作業性が格段に高まる。
【００４８】
また、図１５に示すように、野縁１０の保持強度を高めるため、野縁受１１を２本並列して設ける場合も多い。本実施形態に係る天井ボード取付補助具は、上記構成の野縁を備える天井構造に適用することもできる。
【００４９】
上述した実施形態は、木製の野縁に本願発明を適用した例であるが、野縁や吊木として金属製のものが採用されることも多い。金属性の野縁や吊木は、木製のものより寸法が小さく設定されるが、取付作業は木製の場合と同様に行われる。このため、図１６及び図１７に示すように、採用される野縁や吊木に合わせて、掛止部の寸法を設定することができる。
【００５０】
本願発明は、上述した実施形態に限定されることはない。本願発明の範囲は、特許請求の範囲によって示され、特許請求の範囲と均等の意味及び範囲内でのすべての変更が含まれることが意図される。
【産業上の利用可能性】
【００５１】
天井ボードの取付作業を効率よく行える、天井ボード取付補助具を提供できる。
【符号の説明】
【００５２】
１      天井ボード取付補助具
２ａ    第１の掛止部
２ｂ    第２の掛止部
６    掛止部連結部
７    天井ボード保持部
８    保持部連結部
１３    上部（第１の掛止部）
１４    側部（第１の掛止部）
１４ｂ  側部内面（第１の掛止部）
１５    側部（第１の掛止部）
１５ａ  側部下縁（第１の掛止部）
１５ｂ  側部内面（第１の掛止部）
２３    上部（第２の掛止部）
２４    側部（第２の掛止部）
１０    野縁
１０ａ  上面（野縁）
１２    天井ボード
【図１】
2019019565.tif 000003
【図２】
2019019565.tif 000004
【図３】
2019019565.tif 000005
【図４】
2019019565.tif 000006
【図５】
2019019565.tif 000007
【図６】
2019019565.tif 000008
【図７】
2019019565.tif 000009
【図８】
2019019565.tif 000010
【図９】
2019019565.tif 000011
【図１０】
2019019565.tif 000012
【図１１】
2019019565.tif 000013
【図１２】
2019019565.tif 000014
【図１３】
2019019565.tif 000015
【図１４】
2019019565.tif 000016
【図１５】
2019019565.tif 000017
【図１６】
2019019565.tif 000018
【図１７】
2019019565.tif 000019